【手続補正書】
【提出日】平成18年12月12日(2006.12.12)
【手続補正１】
【補正対象書類名】特許請求の範囲
【補正対象項目名】全文
【補正方法】変更
【補正の内容】
【特許請求の範囲】
【請求項１】
入力した印刷データ中の特定のデータに対して処理を加える複数の処理モジュールと、
第１の処理モード中に入力された印刷データを前記複数の処理モジュールへ提供した際に、処理を実行した処理モジュールを検出する検出手段と、
前記検出手段で検出された処理モジュールを、前記第１の処理モードの終了後において有効に設定する設定手段とを備えることを特徴とする画像処理装置。
【請求項２】
前記第１の処理モード中に入力された印刷データとは、セットアップモードの開始指示に続いて入力された印刷データであることを特徴とする請求項１に記載の画像処理装置。
【請求項３】
前記第１の処理モード中に入力された印刷データとは、セットアップモードの開始指示から終了指示までの間に入力された印刷データであることを特徴とする請求項１に記載の画像処理装置。
【請求項４】
前記第１の処理モード中に入力された印刷データとは、セットアップモードの開始指示後に入力された印刷データであることを特徴とする請求項１に記載の画像処理装置。
【請求項５】
前記複数の処理モジュールのそれぞれは、印刷データ中に現れる特定のデータパターンを検出し、検出したデータ部分を新たなデータで置換する処理を含むことを特徴とする請求項１に記載の画像処理装置。
【請求項６】
前記設定手段は、前記検出手段で検出された処理モジュールのみが前記第１の処理モードの終了後において有効になるように設定することを特徴とする請求項１に記載の画像処理装置。
【請求項７】
前記設定手段は、前記検出手段で検出された処理モジュールと、前記第１の処理モードの開始前に有効に設定されていた処理モジュールとが、前記第１の処理モードの終了後において有効になるように設定することを特徴とする請求項１に記載の画像処理装置。
【請求項８】
前記複数の処理モジュールの各々は、前記設定手段によって有効に設定されなかった場合は、入力された印刷データをバイパスさせることを特徴とする請求項１に記載の画像処理装置。
【請求項９】
入力した印刷データに対して処理を加える複数の処理モジュールと、
該複数の処理モジュールの各々は、有効フラグがオンの場合に入力された印刷データからの特定のデータの検出および置換処理を実行し、該置換処理を実行した場合に実行フラグをセットし、
第１の処理モードの開始時に前記複数の処理モジュールの全ての有効フラグをオンにして、印刷データを該複数の処理モジュールに提供し、前記第１の処理モードの終了時に実行フラグがオンになっている処理モジュールの有効フラグのみをオンに保つ制御手段とを備えることを特徴とする画像処理装置。
【請求項１０】
入力した印刷データ中の特定のデータに対して処理を加える複数の処理モジュールを備えた画像処理装置の駆動を制御する方法であって、
検出手段が、第１の処理モード中に入力された印刷データを前記複数の処理モジュールを用いて処理した際に、処理を実行した処理モジュールを検出する検出工程と、
設定手段が、前記検出工程で検出された処理モジュールを、前記第１の処理モードの終了後において有効に設定する設定工程とを備えることを特徴とする画像処理装置の制御方法。
【請求項１１】
入力した印刷データに対して処理を加える複数の処理モジュールを備えた画像処理装置の駆動を制御する方法であって、
前記複数の処理モジュールの各々は、有効フラグがオンの場合に入力された印刷データからの特定のデータの検出および置換処理を実行し、該置換処理を実行した場合に実行フラグをセットし、
第１手段が、第１の処理モードの開始時に前記複数の処理モジュールの全ての有効フラグをオンにして、印刷データを該複数の処理モジュールに提供する第１工程と、
第２手段が、前記第１の処理モードの終了時に実行フラグがオンになっている処理モジュールの有効フラグのみをオンに保つ第２工程とを備えることを特徴とする画像処理装置の制御方法。
【請求項１２】
請求項１０または１１に記載の画像処理装置の制御方法をコンピュータによって実行させるための制御プログラム。
【請求項１３】
請求項１０または１１に記載の画像処理装置の制御方法をコンピュータによって実行させるための制御プログラムを格納した記憶媒体。
【請求項１４】
入力したデータ中の特定のデータに対して処理を加える複数の処理モジュールと、
第１の処理モード中に入力されたデータを前記複数の処理モジュールを用いて処理した際に、処理を実行した処理モジュールを検出する検出手段と、
前記検出手段で検出された処理モジュールを、前記第１の処理モードの終了後において有効に設定する設定手段とを備えることを特徴とするデータ処理装置。
【請求項１５】
前記第１の処理モード中に入力されたデータとは、セットアップモードの開始指示に続いて入力されたデータであることを特徴とする請求項１４に記載のデータ処理装置。
【請求項１６】
前記第１の処理モード中に入力されたデータとは、セットアップモードの開始指示から終了指示までの間に入力されたデータであることを特徴とする請求項１４に記載のデータ処理装置。
【請求項１７】
前記第１の処理モード中に入力されたデータとは、セットアップモードの開始指示後に入力されたデータであることを特徴とする請求項１４に記載のデータ処理装置。
【請求項１８】
前記複数の処理モジュールのそれぞれは、データ中に現れる特定のデータパターンを検出し、検出したデータ部分を新たなデータで置換する処理を含むことを特徴とする請求項１４に記載のデータ処理装置。
【請求項１９】
前記設定手段は、前記検出手段で検出された処理モジュールのみが前記第１の処理モードの終了後において有効になるように設定することを特徴とする請求項１４に記載のデータ処理装置。
【請求項２０】
前記設定手段は、前記検出手段で検出された処理モジュールと、前記第１の処理モードの開始前に有効に設定されていた処理モジュールとが、該第１の処理モードの終了後において有効になるように設定することを特徴とする請求項１４に記載のデータ処理装置。
【請求項２１】
前記複数の処理モジュールの各々は、前記設定手段によって有効に設定されなかった場合は、入力されたデータをバイパスさせることを特徴とする請求項１４に記載のデータ処理装置。
【請求項２２】
入力したデータに対して処理を加える複数の処理モジュールと、
該複数の処理モジュールの各々は、有効フラグがオンの場合に入力されたデータからの特定のデータの検出および置換処理を実行し、該置換処理を実行した場合に実行フラグをセットし、
第１の処理モードの開始時に前記複数の処理モジュールの全ての有効フラグをオンにして、データを該複数の処理モジュールに提供し、該第１の処理モードの終了時に実行フラグがオンになっている処理モジュールの有効フラグのみをオンに保つ制御手段とを備えることを特徴とするデータ処理装置。
【請求項２３】
入力したデータ中の選択されたデータに対して処理を加える複数の処理モジュールの駆動を制御する方法であって、
検出手段が、第１の処理モード中に入力されたデータを前記複数の処理モジュールを用いて処理した際に、処理を実行した処理モジュールを検出する検出工程と、
設定手段が、前記検出工程で検出された処理モジュールを、前記第１の処理モードの終了後において有効に設定する設定工程とを備えることを特徴とする処理モジュールの駆動制御方法。
【請求項２４】
入力したデータに対して処理を加える複数の処理モジュールの駆動を制御する方法であって、
前記複数の処理モジュールの各々は、有効フラグがオンの場合に入力されたデータから特定のデータの検出および置換処理を実行し、該置換処理を実行した場合に実行フラグをセットし、
第１手段が、第１の処理モードの開始時に前記複数の処理モジュールの全ての有効フラグをオンにして、データを該複数の処理モジュールに提供する第１工程と、
第２手段が、前記第１の処理モードの終了時に実行フラグがオンになっている処理モジュールの有効フラグのみをオンに保つ第２工程とを備えることを特徴とする処理モジュールの駆動制御方法。
【請求項２５】
請求項２３または２４に記載の処理モジュールの駆動制御方法をコンピュータによって実行させるための制御プログラム。
【請求項２６】
請求項２３または２４に記載の処理モジュールの駆動制御方法をコンピュータによって実行させるための制御プログラムを格納した記憶媒体。
【手続補正２】
【補正対象書類名】明細書
【補正対象項目名】００１６
【補正方法】変更
【補正の内容】
【００１６】
上記の目的を達成するための本発明の一態様によるデータ処理装置は以下の構成を備える。すなわち、
入力したデータ中の特定のデータに対して処理を加える複数の処理モジュールと、
第１の処理モード中に入力されたデータを前記複数の処理モジュールを用いて処理した際に、処理を実行した処理モジュールを検出する検出手段と、
前記検出手段で検出された処理モジュールを、前記第１の処理モードの終了後において有効に設定する設定手段とを備える。
【手続補正３】
【補正対象書類名】明細書
【補正対象項目名】００１７
【補正方法】変更
【補正の内容】
【００１７】
また、上記の目的を達成するための本発明の他の態様によるデータ処理装置は以下の構成を備える。すなわち、
入力したデータに対して処理を加える複数の処理モジュールと、
該複数の処理モジュールの各々は、有効フラグがオンの場合に入力されたデータからの特定のデータの検出および置換処理を実行し、該置換処理を実行した場合に実行フラグをセットし、
第１の処理モードの開始時に前記複数の処理モジュールの全ての有効フラグをオンにして、データを該複数の処理モジュールに提供し、該第１の処理モードの終了時に実行フラグがオンになっている処理モジュールの有効フラグのみをオンに保つ制御手段とを備える。